(57)【要約】【課題】ブレーカの配線接続作業が困難である点を解決することで、一般の作業者でも容易に配線接続作業をすることを可能にするとともに、現場での配線工事の作業時間が長くかかる点を解決することで、工期の短縮を図ることを可能とする。【解決手段】金属性のケース４１と、このケース４１に収納され回路の接続若しくは切断をする複数のブレーカ４８と、ケース４１に設けられ回路のマイナス側をアースするバスバー４９と、複数のブレーカ４８に雄コネクタ６１を介して屋内配線２１を接続するために、複数のブレーカ４８にそれぞれ接続するとともにバスバー４９に接続する複数の雌コネクタ５１と、を備えた。【選択図】図４
0003125999.tif 000002
【実用新案登録請求の範囲】
【請求項１】
金属性のケースと、このケースに収納され回路の接続若しくは切断をする複数のブレーカと、ケースに設けられ回路のマイナス側をアースするバスバーと、前記複数のブレーカに前記雄コネクタを介して屋内配線を接続するために、前記複数のブレーカにそれぞれ接続するとともに前記バスバーに接続する複数の雌コネクタと、を備えた配電盤。
【請求項２】
前記雌コネクタの接続端子を、前記ブレーカの端子部及び前記バスバーに電気的に接続することで、前記ケース側に前記雌コネクタを機械的に固定することを特徴とする請求項１記載の配電盤。
【請求項３】
前記ブレーカに凹部を設け、前記雌コネクタに前記凹部に嵌合させる突起を設けたことを特徴とする請求項１記載の配電盤。
【請求項４】
前記雌コネクタに係止爪を設け、前記雄コネクタに前記係止爪に係止する係止部を設けたことを特徴とする請求項１記載の配電盤。
【考案の詳細な説明】
【技術分野】
【０００１】
本考案は、ケースにブレーカを収納し、回路の接続若しくは切断をする配電盤の改良に関するものである。
【背景技術】
【０００２】
配電盤として、ケースに複数のブレーカを収納し、このブレーカに配線を接続し、回路の接続若しくは切断をするものが実用に供されている。
実用の配電盤は、所定の個数のブレーカを収納し、所定の配線を接続すれば実用上十分であった。
【０００３】
このような配電盤として、ケースの左右に複数のブレーカを列べたものが知られている（例えば、特許文献１参照。）。
【特許文献１】特開２００３−１４３７２０公報（第４頁、図１）
【０００４】
特許文献１の技術を説明する。
図６は従来の基本構成を説明する図である。
配電盤２２０は、ケース２２１に複数のブレーカ２２２を二列に配置し、ブレーカ２２２の負荷側にブレーカ二次配線２２３を接続し、ブレーカ二次配線２２３に接続用端子台２２４を介して負荷ケーブル２２５を接続したものである。
【０００５】
配電盤２２０では、ブレーカ２２２にブレーカ二次配線２２３を接続する作業は、ブレーカ二次配線２２３の被覆を剥くことで銅線を露出させ、この銅線をブレーカ２２２に直接的に接続する方法が一般的である。
しかし、ブレーカ二次配線２２３の被覆を剥くことで銅線を露出させ、この銅線をブレーカ２２２に接続する作業は熟練を要し、所定の技能（資格）を取得した作業者でなければ作業をすることができなかった。
また、ブレーカ２２２にブレーカ二次配線２２３を接続する作業は現場でやらなければならず、現場での作業時間を要するために工期が遅れることがあった。
【０００６】
すなわち、ブレーカの配線接続作業が簡単に行うことができるとともに、現場での配線工事の作業時間の短縮を図ることができる配電盤（分電盤）が望まれる。
【考案の開示】
【考案が解決しようとする課題】
【０００７】
本考案は、ブレーカの配線接続作業が困難である点を解決し、一般の作業者でも容易に配線接続作業をすることができるとともに、現場での配線工事の作業時間が長くかかる点を解決し、工期の短縮を図ることができる配電盤を提供することを課題とする。
【課題を解決するための手段】
【０００８】
請求項１に係る配電盤の考案は、金属性のケースと、このケースに収納され回路の接続若しくは切断をする複数のブレーカと、ケースに設けられ回路のマイナス側をアースするバスバーと、複数のブレーカに雄コネクタを介して屋内配線を接続するために、複数のブレーカにそれぞれ接続するとともにバスバーに接続する複数の雌コネクタと、を備えたものである。
【０００９】
請求項２に係る考案は、雌コネクタの接続端子を、ブレーカの端子部及びバスバーに電気的に接続することで、ケース側に雌コネクタを機械的に固定することを特徴とする。
【００１０】
請求項３に係る考案は、ブレーカに凹部を設け、雌コネクタに凹部に嵌合させる突起を設けたことを特徴とする。
【００１１】
請求項４に係る考案は、雌コネクタに係止爪を設け、雄コネクタに係止爪に係止する係止部を設けたことを特徴とする。
【考案の効果】
【００１２】
請求項１に係る考案では、ブレーカとバスバーとに雌コネクタを接続し、この雌コネクタに雄コネクタを介して配線を接続したので、現場での配線作業の作業性の向上を図ることができる。この結果、工期の短縮を図ることができるという利点がある。
【００１３】
請求項２に係る考案では、雌コネクタの接続端子を、ブレーカの端子部及びバスバーに電気的に接続することで、ケース側に雌コネクタを機械的に固定するようにした。  従って、ケース側に雌コネクタを機械的に固定するための部材を省くことができ、雌コネクタの取付性の向上を図ることができるという利点がある。
【００１４】
請求項３に係る考案では、ブレーカに凹部を設け、雌コネクタに凹部に嵌合させる突起を設けたので、ブレーカの所定位置に雌コネクタを位置決めすることができる。この結果、雌コネクタの取付作業の作業性の向上を図ることができるとともに、雌コネクタを見栄えよく整列させることができるという利点がある。
【００１５】
請求項４に係る考案では、雌コネクタに係止爪を設け、雄コネクタに係止爪に係止する係止部を設けたので、雌コネクタから雄コネクタが抜けることを防止することができる。この結果、雌コネクタ及び雄コネクタ間の接続の信頼性を向上させることができるという利点がある。
【考案を実施するための最良の形態】
【００１６】
本考案を実施するための最良の形態を添付図に基づいて以下に説明する。なお、図面は符号の向きに見るものとする。
図１は本考案に係る配電盤のシステム図である。
屋内配線システム１０は、複数の機器やコンセント（不図示）に電気を供給する配電盤（分電盤）２０と、この配電盤２０から延出した複数の配電盤側屋内配線２１と、複数の配電盤側屋内配線２１の内の一つを接続する配線端子ユニット２２と、この配線端子ユニット２２から延出した第１の屋内配線３５と、この第１の屋内配線３５の先端に接続する第１の屋内用照明装置３０と、この第１の屋内用照明装置３０から延出した第２の屋内配線３６と、この第２の屋内配線３６の先端に接続する第２の屋内用照明装置（別の屋内用照明装置）３２と、この第２の屋内用照明装置３２から延出した第３の屋内配線３７と、この第３の屋内配線３７の先端に接続する第３の屋内用照明装置（別の屋内用照明装置）３３と、この第３の屋内用照明装置３３から延出する第４の屋内配線３８と、配電盤２０から地中にアースするアース線３９と、からなる。
【００１７】
第１〜第３の屋内用照明装置３０，３２，３３は、同一構造の照明装置であり、第１〜第４の屋内配線３５〜３８は、単相交流及びアースに対応した配線である。
【００１８】
図２は本考案に係る配電盤の平面図であり、図３は図２の３矢視図ある。
図２に示すように、配電盤（分電盤）２０は、金属製のケース（ハウジング）４１と、
このケース４１に開閉自在に取付けた蓋体４２と、ケース４１に設けたシステムアース枠体４３と、ケース４１に設けた主ブレーカ４４と、この主ブレーカ４４から延ばした第１〜第３の給電用バー４５〜４７と、これらの第１・第２の給電用バー４５，４６に接続する複数の副ブレーカ４８（以下、「ブレーカ４８」と記載する）と、システムアース枠体４３に接続したバスバー４９，４９と、複数のブレーカ４８にそれぞれ接続するとともにバスバー４９，４９にそれぞれ接続する複数の雌コネクタ５１と、主ブレーカ４４の操作部５２及び複数のブレーカ４８の操作部６４を臨ませ他の部分を覆うカバープレート５４と、からなる。
【００１９】
システムアース枠体４３は、ケース４１内の左右に設けた縦フレーム５５，５５と、これらの縦フレーム５５，５５に渡した上部フレーム５６と、縦フレーム５５，５５に渡した中間フレーム５７と、からなる。
【００２０】
また、図３に示すように、システムアース枠体４３は、主ブレーカ４４や複数のブレーカ４８などの支持フレームとしての役目をなし、複数のブレーカ４８を支持するブレーカ用シャーシ５８と、このブレーカ用シャーシ５８に取付ける左右のブレーカ位置決めプレート５９，５９と、を備える。
【００２１】
第１・第２の給電用バー４５，４６は、先に説明した通り複数のブレーカ４８に接続される。第３の給電用バー４７は、システムアース枠体４３に接続される。
図３に示すように、配電盤側屋内配線２１（以下、「屋内配線２１」と記載する）は、ケーブル６２と、このケーブル６２の一端に取付けた雄コネクタ６１と、からなる。複数の雌コネクタ５１は、それぞれ雄コネクタ６１付の屋内配線２１が接続される。
複数のブレーカ４８は、左右のブレーカ位置決めプレート５９，５９で位置決めされ、第１・第２の給電バー４５，４６に接続されるとともに、雌コネクタ５１が接続される。
【００２２】
以下、ブレーカ４８、雌コネクタ５１及び雄コネクタ６１の詳細を説明する。
図４は図２に示された配電盤のブレーカ、雌コネクタ及び雄コネクタの分解斜視図である。
ブレーカ４８は、ブレーカハウジング６３と、このブレーカハウジング６３の上部に設けることで回路の接続若しくは切断をする操作部６４と、ブレーカハウジング６３の一方に設けることで第１・第２の給電バー４５，４６（図２参照）側に接続する左右の接続端子６５，６６と、ブレーカハウジング６３の他方に設けることで雌コネクタ５１側に接続する左右の端子部６７，６８と、ブレーカハウジング６３の他方に設けることで雌コネクタ５１を位置決めする凹部６９と、位置決めプレート５９に位置決めされる凸部６９ａ，６９ａと、を備える。
【００２３】
雌コネクタ５１は、単相交流及びアースに対応したコネクタであり、雌コネクタハウジング７１と、ブレーカ４８の端子部６７，６８に（単相交流を）接続する第１・第２の接続端子７３，７４と、バスバー４９に取付けねじ７６で取付けることでバスバー４９に（アースに）接続する第３の接続端子７５と、これらの第１〜第３の接続端子７３〜７５に接続する雄コネクタ挿入部７７と、雄コネクタ６１を係止する係止爪７８と、ブレーカ４８の凹部に嵌合させる突起７９と、を備える。
【００２４】
第３の接続端子７５は、アース端子であり、バスバー４９、アース線３９を介して地中にアースされている。従って、図１に示す第１の屋内用照明装置３０は、第１の屋内配線３５、配電盤側屋内配線２１及び配電盤１０のアース線３９を経由して地中にアースされている。なお、第２・第３の屋内用照明装置３２，３３も同様にアースされている。
【００２５】
さらに、雌コネクタ５１は、第１〜第３の接続端子７３〜７５を電気的に接続することで、雌コネクタ５１は機械的に固定されるものである。
第３の接続端子７５は、取付ねじ７６を貫通させる孔７５ａを備え、バスバー４９は、取付ねじ７６をねじ込むねじ孔４９ａを備える。
【００２６】
雄コネクタ６１は、単相交流及びアースに対応したコネクタであり、雄コネクタハウジング８１と、屋内配線２１のケーブル６２を接続する雄側端子部８３と、雄コネクタ６１を雌コネクタ５１に電気的に接続するために、雄コネクタ挿入部７７に接続する雄側接続部８４と、雄コネクタ６１を雌コネクタ５１に係止するために、係止爪７８に係止する係止部８５と、を備える。
【００２７】
図５（ａ），（ｂ）は図４に示されたブレーカ、雌コネクタ及び雄コネクタの組付け状態を示す図であり、（ａ）はブレーカ４８、雌コネクタ５１及び雄コネクタ６１の平面を示し、（ａ）はブレーカ４８、雌コネクタ５１及び雄コネクタ６１の側面を示す。
【００２８】
（ａ），（ｂ）において、配電盤２０（図２参照）は、金属性のケース４１と、このケース４１に収納され回路の接続若しくは切断をする複数のブレーカ４８と、ケース４１に設けられ回路のマイナス側をアースするバスバー４９と、複数のブレーカ４８に雄コネクタ６１を介して屋内配線２１を接続するために、複数のブレーカ４８にそれぞれ接続するとともにバスバー４９に接続する複数の雌コネクタ５１と、を備えたものと言える。
【００２９】
ブレーカ４８とバスバー４９とに雌コネクタ５１を接続し、この雌コネクタ５１に雄コネクタ６１を介して屋内配線２１を接続することで、現場での配線作業の作業性の向上を図ることができる。この結果、工期の短縮を図ることができる。
【００３０】
（ｂ）において、配電盤２０（図２参照）では、雌コネクタ５１の第１・第２の接続端子７３，７４を、ブレーカ４８の端子部６７，６８に電気的に接続するとともに、第３の接続端子７３をバスバー４９に電気的に接続することで、ケース４１（図２参照）側に雌コネクタ５１を機械的に固定するようにした。従って、ケース４１側に雌コネクタ５１を機械的に固定するための部材を省くことができ、雌コネクタ５１の取付性の向上を図ることができる。
【００３１】
（ｂ）において、配電盤２０（図２参照）では、ブレーカ４８に凹部６９設け、雌コネクタ５１に凹部６９に嵌合させる突起７９を設けることで、ブレーカ４８の所定位置に雌コネクタ５１を位置決めすることができる。この結果、雌コネクタ５１の取付作業の作業性の向上を図ることができるとともに、複数の雌コネクタ５１を見栄えよく整列させることができる。
【００３２】
（ａ），（ｂ）において、配電盤２０（図２参照）は、雌コネクタ５１に係止爪７８を設け、雄コネクタ６１に係止爪７８に係止する係止部８５を設けることで、雌コネクタ５１から雄コネクタ６１が抜けることを防止することができる。この結果、雌コネクタ５１及び雄コネクタ６１間の接続の信頼性を向上させることができる。
【００３３】
尚、本考案に係る配電盤は、図４に示すように、雌コネクタ５１に係止爪７８を設け、雄コネクタ６１に係止爪７８に係止する係止部８５を設けたが、これに限るものではなく、雄コネクタに係止爪を設け、雌コネクタに係止爪に係止する係止部を設けたものであってもよい。
【００３４】
本考案に係る配電盤は、図４に示すように、ブレーカ４８に凹部６９を設け、雌コネクタ５１に凹部６９に嵌合させる突起７９を設けたが、これに限るものではなく、ブレーカに突起を設け、雌コネクタに凹部を設けたものであってもよい。
【産業上の利用可能性】
【００３５】
本考案に係る配電盤は、コンビニエンスストアなどの店舗や展示会のブースなどの屋内配線に用いるのに好適である。
【図面の簡単な説明】
【００３６】
【図１】本考案に係る配電盤のシステム図である。
【図２】本考案に係る配電盤の平面図である。
【図３】図２の３矢視図である。
【図４】図２に示された配電盤のブレーカ、雌コネクタ及び雄コネクタの分解斜視図である。
【図５】図４に示されたブレーカ、雌コネクタ及び雄コネクタの組付け状態を示す図である。
【図６】従来の基本構成を説明する図である。
【符号の説明】
【００３７】
２０…配電盤、２１…屋内配線、４１…ケース、４８…ブレーカ、４９…バスバー、５１…雌コネクタ、６１…雄コネクタ、６７，６８…端子部、７３〜７５…接続端子、７８…係止爪、７９…突起、８５…係止部。
【図１】
0003125999.tif 000003
【図２】
0003125999.tif 000004
【図３】
0003125999.tif 000005
【図４】
0003125999.tif 000006
【図５】
0003125999.tif 000007
【図６】
0003125999.tif 000008